【事件の表示】
　特願２００６−３２５７７８号「カード用コネクタ」拒絶査定不服審判事件〔平成１９年１０月４日出願公開、特開２００７−２５８１５１号〕について、次のとおり審決する。
【結　論】
　本件審判の請求は、成り立たない。
【理　由】
第１　手続の経緯
　本願は、平成１８年１２月１日の出願（パリ条約の例による優先権主張平成１８年３月２０日、台湾）であって平成２２年１０月１９日付けで拒絶査定がなされ、これに対し、平成２３年１月２０日に拒絶査定不服審判が請求されると同時に手続補正がされたものである。
　
第２　平成２３年１月２０日の手続補正についての補正却下の決定
［補正却下の決定の結論］
　平成２３年１月２０日の手続補正（以下「本件補正」という）を却下する。
　
［理由］
１．補正後の本願発明
　本件補正は、特許請求の範囲の請求項１を、次のとおりに補正しようとするものである。
「コネクタ本体と、
　前記コネクタ本体に装着される複数の導電端子と、
　前記コネクタ本体に覆うフレームであって、カードの挿入／排出方向に延在するように形成されたスリットを有している前記フレームと、
　前記フレームの一側壁に取付けられるイジェクト機構と、
　を含み、
　前記コネクタ本体と前記フレームとが、カードを収容するための収容空間を形成するカード用コネクタにおいて、
　前記イジェクト機構は、
　運動方向が前記カードの前記挿入／排出方向に平行な排出部材であって、挿入されたカードに当接し且つ前記挿入／排出方向において前記スリットに沿って運動する排出部を有している前記排出部材と、
　連動部材と、
　
前
に
している一方の端部と、前記排出部材の前記排出部に連接している他方の端部と、を有している
　前記連動部材に連接する押圧部材とを含み、
　前記押圧部材が前記カード用コネクタ内部に押し込まれた場合において、前記枢支部材が前記枢支部を中心として回動し、
前記枢支部材の
の前記排出部
前記フレームの幅の中心近傍を押し出すことによって、
が
される
　
　本件補正は、請求項１に記載した発明を特定するために必要な事項である「排出部材」及び「排出部材と前記連動部材とを連接する枢支部材」に関し、枢支部材が「連動部材
に
している一方の端部と、前記排出部材の前記排出部に連接している他方の端部と、を有している
前記枢支部材の
の前記排出部
前記フレームの幅の中心近傍を押し出すことによって、
が
される
　そこで、本件補正後の前記請求項１に記載された発明（以下「本願補正発明」という。）が特許出願の際独立して特許を受けることができるものであるか（平成１８年法律第５５号改正附則第３条第１項によりなお従前の例によるとされる同法による改正前の特許法第１７条の２第５項において準用する同法第１２６条第５項の規定に適合するか）について以下に検討する。
　
２．引用刊行物１
　本願の優先日前に頒布された特開２００６−１２８２８号公報（以下「引用刊行物１」という。）には、図１〜８とともに次の事項が記載されている。
（１）「このＥｘｐｒｅｓｓカードは、２つの仕様、すなわち34mmの幅を有するＥｘｐｒｅｓｓカード／３４及び54mmの幅を有するＥｘｐｒｅｓｓカード／５４を有する。」（段落【０００３】）
（２）「合成ソケットは、Ｅｘｐｒｅｓｓカード／３４又はＥｘｐｒｅｓｓカード／５４の使用を有するカードを収容することができる。」（段落【００１１】）
（３）「カードコネクタ１００は、主本体１、排出（エジェクト）機構２及び略三角形状ストッパ部材３を具備する。主本体１は複合ソケット（複数の異なるカードを受容するソケット）であり、肩１０は主本体１の一側に配置されている。主本体１は、その前側に設けられた複数の端子を有する。排出機構２は、カードコネクタ１００内にカード４，５（図４及び図５参照）を位置決めするか、又はカードコネクタ１００からカード４，５を排出するために、肩１０の上の主本体１の横側に配置されている。排出機構２が他側すなわち左側壁１４の外ではなく、一側の肩１０の上の主本体１の横側・・・(中略)・・・に配置されている・・・(中略)・・・
　図２及び図３と共に図１を続けて参照すると、・・・(中略)・・・排出機構２は、押圧ブロック２０、排出バー２４、位置決めブロック２７及びばね３０を具備する。押圧ブロック２０は、その一側から延びる当接部２１と、反対側に形成された第２フック部２２とを有する。」（段落【００１３】及び【００１４】）
（４）「図４は、本発明のカードコネクタ１００に小カード４を挿入する作業を示す図である。第１収容空間１２は、主本体１の左側壁１４及び排出機構２により画定される。第１収容空間１２は小カード４を収容する。小カード４は、排出機構２を主本体１の先端まで前方へ押圧し、次にカードコネクタ１００内に配置される。
　図５は、本発明のカードコネクタ１００に大カード５を挿入する作業を示す図である。第２収容空間１３は、主本体１の前側、並びに主本体１の肩１０及び左側壁によって画定される。第２収容空間１３は大カード５を収容する。大カード５は、排出機構２を主本体１の先端まで前方へ押圧し、次にカードコネクタ１００内に配置される。
　図３（Ａ）及び図６と共に図４を続けて参照する。図６は、カードコネクタ１００内に収容された小カード４を示す図である。小カード４がカードコネクタ１００内に挿入される場合、小カード４は第１収容空間１２内に載置され、小カード４の先端は排出機構２の当接部２１に当接して抵抗を受ける。指が小カード４を押圧し、小カード４は押圧ブロック２０の当接部２１を押圧して主本体１の先端に向かって移動する。排出機構２の第２フック部２２に引掛けられたばね３０は、押圧ブロック２０の移動を受けて伸び、ばね力を発生する。同時に、押圧ブロック２０の移動を受けて、排出バー２４が第１ガイド溝２８の経路に沿って移動し、（Ａ点から実線矢印に沿ってＢ点を通り、位置決め位置Ｃ点までの）位置決め場所に到る。このように、小カード４は、図６に示されるようにカードコネクタ１００内に挿入される。小カード４がカードコネクタ１００から排出される場合、指が小カード４を押圧し、小カード４は、押圧ブロック２０が主本体１の先端に向かって移動するように、押圧ブロック２０の当接部２１を押圧する。押圧ブロック２０の移動を受けると、排出機構２の第２フック部２２に引掛けられたばね３０は、戻りばね力を発生する。同時に、押圧ブロック２０に引掛けられた排出バー２４は、押圧ブロック２０の移動を受けて第２ガイド溝２９の経路に沿って移動し、図１に示されるように（位置決めＣ点から破線矢印に沿ってＤ点を通り、Ａ点まで戻る）第１ガイド溝２８に戻る。小カード４は、このようにカードコネクタ１００から排出される。・・・(中略)・・・
　図３（Ａ）及び図６と共に図５を参照する。大カード５のカードコネクタ１００への挿入及びカードコネクタ１００からの排出は、左右の側壁１４，１５に案内される点を除き、小カード４と同じである。従って、その作業は再度詳細には説明しない。」（段落【００１６】〜【００１９】）
（５）図４には第１収容空間１２が、主本体１の上方の端部より下方で左側壁１４と排出機構２の間であることが図示される。
（６）図４に示される排出機構２の第１収容空間１２へ延びる、図２及び３で当接部２１に相当する部分が、図６では、小カード４の右側上方に接した状態で、上方へ移動した態様が図示されている。
（７）上記（４）で摘記した「図６は、カードコネクタ１００内に収容された小カード４を示す図である」こと及び上記（６）の図示内容からみて、図面上、上方に移動するように小カード４を収容させるものといえ、上記（４）で摘記した「小カード４は、排出機構２を主本体１の先端まで前方へ押圧し、次にカードコネクタ１００内に配置される。」との記載から、図面の上方が前方であって、主本体１の先端の側といえる。そして上記（３）で摘記した「主本体１は、その前側に設けられた複数の端子を有する。」とのことから、主本体１の先端である前側に複数の端子が設けられているといえる。
　
　上記記載事項（１）〜（４）、図示内容（５）及び（６）、（７）で検討した事項並びに図１〜６を総合すると、引用刊行物１には、次の発明（以下「引用発明１」という。）が記載されていると認められる。
「先端である前側に複数の端子が設けられ、
主本体１の前側、主本体１の他側である左側壁１４及び主本体１の一側に配置されている肩１０の上の主本体１の横側に配置されている排出機構２により画定される、小カード４を収容する主本体１の第１収容空間１２並びに主本体１の前側、主本体１の肩１０及び左側壁１４によって画定される、大カード５を収容する第２収容空間１３を有する、主本体１と、
　主本体１の一側に配置されている肩１０の上の主本体１の横側に配置されている排出機構２と
　を含む幅34mmのＥｘｐｒｅｓｓカード／３４である小カード４及び幅54mmのＥｘｐｒｅｓｓカード／５４である大カード５を受容するカードコネクタ１００であって、
　排出機構２は
小カード４又は大カード５がコネクタ１００内に挿入されるとき、排出機構２の押圧ブロック２０の当接部２１を押圧して主本体１の先端に向かって移動し、ばね力を発生し、
　カード４，５をカードコネクタ１００から排出するとき、カード４，５を押圧して主本体１の先端に向かって移動させて排出機構２の押圧ブロック２０の当接部２１を押圧すると、押圧ブロック２０の移動を受けて戻りばね力を発生し、当接部２１を有する押圧ブロックが移動してカード４，５が排出されるカードコネクタ１００。」
　
３．対比・判断
　本願補正発明と引用発明１とを対比すると、後者の「複数の端子」は、その配置・構成、機能からみて、前者の「複数の導電端子」に相当し、以下同様に、後者の「主本体１」は前者の「フレーム」に、後者の「排出機構２」は前者の「イジェクト機構」に、後者の「主本体１の前側、主本体１の他側である左側壁１４及び主本体１の一側に配置されている肩１０の上の主本体１の横側に配置されている排出機構２により画定される、小カード４を収容する主本体１の第１収容空間１２並びに主本体１の前側、主本体１の肩１０及び左側壁１４によって画定される、大カード５を収容する第２収容空間１３」は前者の「カードを収容するための収容空間」に、後者の「カードコネクタ１００」は前者の「カード用コネクタ」に、後者の「当接部２１」は前者の「排出部」に、後者の「押圧ブロック２０」は前者の「排出部材」に、後者の「当接部２１を有する押圧ブロックが移動してカード４，５が排出される」ことは前者の「排出部材の前記排出部が、」「押し出すことによって、前記カードが排出される」ことにそれぞれ相当する。
　後者の「主本体１の前側、主本体１の他側である左側壁１４及び主本体１の一側に配置されている肩１０の上の主本体１の横側に配置されている排出機構２により画定される、小カード４を収容する主本体１の第１収容空間１２並びに主本体１の前側、主本体１の肩１０及び左側壁１４によって画定される、大カード５を収容する第２収容空間１３」を有することは、上記第１収容空間１２及び第２収容空間１３が主本体１により形成されていることといえる。
　また、後者の「排出機構２」は「小カード４又は大カード５がコネクタ１００内に挿入されるとき、排出機構２の押圧ブロック２０の当接部２１を押圧して主本体１の先端に向かって移動し、ばね力を発生し、
　カード４，５をカードコネクタ１００から排出するとき、カード４，５を押圧して主本体１の先端に向かって移動させて排出機構２の押圧ブロック２０の当接部２１を押圧すると、押圧ブロック２０の移動を受けて戻りばね力を発生し、当接部２１を有する押圧ブロックが移動してカード４，５が排出される」ものであるから、「当接部２１を有する押圧ブロック」は、小カード４又は大カード５が挿入されるとき、「主本体１の先端に向かって移動し、ばね力を発生」するもので、カード４，５の挿入の方向である、主本体１の先端に向かって移動するものであり、カード４，５を排出するとき、挿入時発生したばね力による戻りばね力により、カード４，５が排出する方向に、当接部２１を有する押圧ブロックが移動されるものであって、小カード４又は大カード５の挿入の方向と排出の方向は、前者の「挿入／排出方向」に対応し、後者の「当接部２１を有する押圧ブロック」は前者の「排出部材」と同様に「運動方向がカードの挿入／排出方向に平行」であって、後者の「当接部２１」も前者の「排出部」と同様に「挿入されたカードに当接し且つ前記挿入／排出方向において」「運動する」もの、「挿入／排出方向において直進し、」「押し出すことによって、カードが排出される」ものといえる。
　さらに、後者の「排出機構２」は「主本体１の一側に配置されている肩１０の上の主本体１の横側に配置されてい」て、小カード４の幅及び大カード５の前方の幅に対応するように肩１０の幅分、一側より中央にずれており、小カード４であるＥｘｐｒｅｓｓカード／３４の幅34mmは、大カード５であるＥｘｐｒｅｓｓカード／５４の幅54mmのほぼ半分であることが明らかであり、上記したように、主本体１は第１収容空間１２及び第２収容空間１３を形成していることから、「排出機構２」は主本体１のほぼ中央にあるといえる。したがって、カード４，５が排出されるとき、排出機構２の押圧ブロック２０の当接部２１は主本体１の中央付近を押し出すものであるから、前者の「排出部材の排出部が、前記挿入／排出方向において直進し、前記フレームの幅の中心近傍を押し出すことによって、前記カードが排出される」と同様の動作をなすものといえる。
　
　そうすると、両者は、「複数の導電端子と、
　フレームと、
　イジェクト機構と、
　を含み、
　前記フレームとが、カードを収容するための収容空間を形成するカード用コネクタにおいて、
　前記イジェクト機構は、
　運動方向が前記カードの前記挿入／排出方向に平行な排出部材であって、挿入されたカードに当接し且つ前記挿入／排出方向において運動する排出部を有している前記排出部材とを含み、
　前記排出部材の前記排出部が、挿入／排出方向において直進し、前記フレームの幅の中心近傍を押し出すことによって、前記カードが排出されるカード用コネクタ。」である点で一致し、以下の点で相違する。
　
相違点Ａ：複数の導電端子に関し、本願補正発明では「コネクタ本体に装着され」ており、「フレーム」に覆われており、その「コネクタ本体」は「フレーム」とともに「カードを収容するための収容空間を形成」しているのに対し、引用発明１では主本体１の「先端である前側に」設けられるものであって、主本体１が形成する第１収容空間１２及び第２収容空間１３について、主本体１の前側がその空間を画定しているものの、コネクタ本体によるものか否か不明である点。
相違点Ｂ：イジェクト機構に関し、本願補正発明が「フレームの一側壁に取付けられ」、フレームに「カードの挿入／排出方向に延在するように形成されたスリットを有して」「挿入／排出方向において前記スリットに沿って運動する排出部を有している前記排出部材と、連動部材と、前記連動部材に連接している一方の端部と、前記排出部材の前記排出部に連接している他方の端部と、を有している枢支部材であって、枢支部を回転軸として前記フレームに対して回動可能な前記枢支部材と、前記連動部材に連接する押圧部材とを含み、
　前記押圧部材が前記カード用コネクタ内部に押し込まれた場合において、前記枢支部材が前記枢支部を中心として回動し、前記枢支部材の回動に連動して、前記排出部材の前記排出部が、前記フレームの前記スリットに沿って前記挿入／排出方向において直進」するのに対して、引用発明１は、「主本体１の一側に配置されている肩１０の上の主本体１の横側に配置され」、「カード４，５をカードコネクタ１００から排出するとき、カード４，５を押圧して主本体１の先端に向かって移動させて排出機構２の押圧ブロック２０の当接部２１を押圧すると、押圧ブロック２０の移動を受けて戻りばね力を発生し、当接部２１を有する押圧ブロックが移動」するものである点。
　
　上記相違点について検討する。
（１）相違点Ａについて
　カード用コネクタにおいて、複数の導電端子をコネクタ本体に装着するとともに、フレームがコネクタ本体を覆うように構成し、コネクタ本体とフレームで「カードを収容するための収容空間を形成」することは、例えば、登録実用新案第３１１１４８５号公報や特開２００１−２９１５５２号公報、登録実用新案第３１１７３５６号公報等に示されるように、従来周知である。したがって、カード用コネクタの前端に複数の導電端子を設ける具体的態様として、上記周知のコネクタ本体を用い、当該コネクタ本体とフレームとでカードを収容する空間を形成して、相違点Ａに係る本願発明の構成とすることは当業者が容易になし得たことといわざるを得ず、そのことによる格別の効果もない。
　
（２）相違点Ｂについて
　カード用コネクタのイジェクト機構について、カードの挿入／排出方向に延在するように形成されたスリットを有して、運動方向が前記カードの前記挿入／排出方向に平行な排出部材であって、
挿入されたカードに当接し且つ前記挿入／排出方向において前記スリットに沿って運動する排出部を有している前記排出部材と、カード用コネクタの一側の端部に設けられた押圧部材に連動する一方の端部と、前記排出部材の前記排出部に連接している他方の端部と、を有している枢支部材であって、枢支部を回転軸として前記フレームに対して回動可能な前記枢支部材と、押圧部材が前記カード用コネクタ内部に押し込まれた場合において、前記枢支部材が前記枢支部を中心として回動し、前記枢支部材の回動に連動して、前記排出部材の前記排出部が、前記フレームの前記スリットに沿って前記挿入／排出方向において直進し、カードが排出されるようなすことは、例えば、原査定において周知例として引用された、実願昭６３−２８８４２号（実開平１−１３２０７４号）のマイクロフィルムには、メモリカードＣを挿入／排出方向である前後方向に運動させる係合爪２６を有するスライダ２を、フレーム１にメモリカードＣの前後方向に形成した案内溝１１に沿って前後方向に運動させることや、メモリーカードコネクタの一側の端部に設けられた操作つまみ８を押し込むとチップ８３を介して、一端がチップ８３に当接し他端がスライダ２に嵌合され連結ピンを回転軸として揺動可能なシャフト６を回動させ、この運動をフレームの幅方向の略中央部でスライダ２に伝え、スライダ２を排出方向に直進させるメモリーカードコネクタのイジェクタ機構が示されており、また、特開平７−１０５３２５号公報には、当接部５５を有する押出しプレート５０をカード型記憶媒体の挿入／排出方向にガイド溝１２に沿って運動させることや、カード型記憶媒体用コネクタのの一側の端部に設けられた押出ロッド６０を押し込むと、一端が押圧溝６２に係合し、他端が押出しプレート５０に係合し、回動孔４２を回転軸として回動可能な回動レバー４０を回動させ、この運動をフレームの幅方向の略中央部で押出しプレート５０に伝え、押出しプレート５０を排出方向に直進させるカード型記憶媒体用コネクタのイジェクタ機構が示されているように、当該技術分野において、従来周知である。
　そうすると、引用発明１のような、カード４，５を押圧して主本体１の先端に向かって移動させて排出する排出機構２に代えて、上記周知のイジェクタ機構を用いることは、そのことによる格別の効果もなく、当業者が容易になし得たことである。
　引用発明１の排出機構２は、主本体１の一側に配置されている肩１０の上の主本体１の横側に配置されているが、上記周知のイジェクタ機構を用いるとき、その押圧部材はカード用コネクタの一側の端部に設けられるものであるから、小カード４を収容する第１収容空間１２及び大カード５を収容する第２収容空間１３が主本体１により形成されているので、その押圧部材をカード用コネクタの一側の端部である主本体１の一側の端部の壁に設けることも、上記周知のイジェクタ機構を用いたことに付随して容易になし得た設計上の事項である。
　そして、引用発明１は主本体１が第１収容空間１２及び第２収容空間１３を形成するものであるから、上記周知のイジェクタ機構の排出部を有する排出部材が、挿入／排出方向において、それに沿って運動する、スリットを、主本体１に設けることも、格別の困難性を要することなく当業者が適宜なし得たことである。なお、より正確に運動するように排出部自身をスリットに沿わせることも当業者が適宜なし得た設計的事項であって、そのための排出部材の具体的構造も本願補正発明には特定されていない。
　スリットについてさらにいえば、イジェクト機構をフレームの一側壁に取付け、イジェクト機構の押圧部材の動きに連動する排出部材を、フレームに形成した挿入／排出方向のスリットに沿って運動させることは、上記登録実用新案第３１１１４８５号公報にも示されていて（段落【００１８】、【００２７】の取付溝４３３，４４３参照）、このことからも上記の様になすことが格別困難であるとはいえない。
　さらに、上記カード用コネクタの一側の端部に設けられた押圧部材によるイジェクタ機構の周知の例では、押圧部材は枢支部材の一方の端部と連動し、押圧部材がカード用コネクタ内部に押し込まれた場合、枢支部材が回動されるものであるが、カードの長さや汎用される部品に合わせて、押圧部材を延長するようにこれに連接する連動部材を設けたり、枢支部材の一方の端部と連動させるのに上記特開平７−１０５３２５号公報や特開２００５−２４２９４６号公報に示されるような態様で連接することも、当業者が必要に応じて適宜なし得たことにすぎない。
　結局、Ｅｘｐｒｅｓｓカード／３４及びＥｘｐｒｅｓｓカード／５４を受容できるカードコネクタ１００であって、カードを押圧することで、コネクタの中央付近において、Ｅｘｐｒｅｓｓカード／３４の一側の端部の前方又はＥｘｐｒｅｓｓカード／５４の前方へ突出する部分における上記部分に対応する部分を押し出す排出機構２を有する引用発明１において、カードを押圧することに代えて、カード用コネクタとして周知である端部にイジェクト用の押圧部材を有したイジェクト機構を採用し、当該Ｅｘｐｒｅｓｓカード／３４及びＥｘｐｒｅｓｓカード／５４を押圧する部分は一側の端壁より中央付近に離れていることから、枢支部材を用いて中央部分で排出部材に作用する上記周知のイジェクト機構を用いることに格別の困難性はないといわざるを得ない。
　したがって、相違点Ｂに係る本願補正発明の構成とすることも当業者が容易になし得たことといえ、そのことによる格別の効果もない。
　
　そして、相違点Ａ及びＢを合わせ考えても、本願補正発明の効果が格別であるとはいえない。
　
４．むすび
　上記したように、本願補正発明は、引用発明１及び周知の事項に基づいて当業者が容易に発明をすることができたものであるから、特許法第２９条第２項の規定により特許出願の際独立して特許を受けることができない。
　したがって、本件補正は、平成１８年法律第５５号改正附則第３条第１項によりなお従前の例によるとされる同法による改正前の特許法第１７条の２第５項において準用する同法第１２６条第５項の規定に違反するので、同法第１５９条第１項において読み替えて準用する同法第５３条第１項の規定により却下すべきものである。
　
第３　本願発明について
　本件補正は上記のとおり却下されたので、本願の請求項１に係る発明（以下「本願発明」という。）は、平成２２年４月２１日付けの手続補正書により補正された特許請求の範囲の請求項１に記載された事項により特定される、以下のとおりのものである。
「コネクタ本体と、
　前記コネクタ本体に装着される複数の導電端子と、
　前記コネクタ本体に覆うフレームであって、カードの挿入／排出方向に延在するように形成されたスリットを有している前記フレームと、
　前記フレームの一側壁に取付けられるイジェクト機構と、
　を含み、
　前記コネクタ本体と前記フレームとが、カードを収容するための収容空間を形成するカード用コネクタにおいて、
　前記イジェクト機構は、
　運動方向が前記カードの前記挿入／排出方向に平行な排出部材であって、挿入されたカードに当接し且つ前記挿入／排出方向において前記スリットに沿って運動する排出部を有している前記排出部材と、
　連動部材と、
　前記排出部材と前記連動部材とを連接する枢支部材であって、枢支部を回転軸として前記フレームに対して回動可能な前記枢支部材と、
　前記連動部材に連接する押圧部材とを含み、
　前記押圧部材が前記カード用コネクタ内部に押し込まれた場合において、前記枢支部材が前記枢支部を中心として回動し、この回動に連動して、前記排出部材が、前記フレームの前記スリットに沿って前記挿入／排出方向において直進し、前記カードを排出することを特徴とするカード用コネクタ。」
　
１．引用刊行物２
　これに対して、原査定の拒絶の理由に引用され、本願の優先日前に頒布された特開２００５−２４２９４６号公報（以下「引用刊行物２」という。）には、図１〜２５とともに次の事項が記載されている。
（１）「【００１５】
　図１は、この発明の第１実施例に係るＰＣカード用コネクタを示す斜視図であり、図２は、放熱板を搭載した状態を示すＰＣカード用コネクタの斜視図であり、図３はＰＣカード用コネクタの平面図であり、図４はＰＣカード用コネクタの側面図である。
　これらの図に示すように、この実施例のＰＣカード用コネクタは、ハウジング１と可動トレイ２と放熱板３とカード排出機構４とカード圧接機構５とを備えている。
【００１６】
　ハウジング１は、コネクタ部１０と一対の側部１２，１３とを有してなる。
　コネクタ部１０は、ＰＣカード１００を接続するための部分であり、ハウジング１の前部１１（図１，２及び４の右部、図３の上部）に取り付けられている。前部１１は、合成樹脂で形成されており、コネクタ部１０は端子受入口１０ａを後方に向けた状態でこの前部１１に組み付けられている。
　また、一対の側部１２，１３は、断面Ｌ字状のステンレス製の部材であり、前部１１に取り付けられ、コネクタ部１０の両側から後方（図１，２及び４の左方向、図３の下方向）に延出している。
【００１７】
　可動トレイ２は、ＰＣカード１００を挿入して載置するためのステンレス製板体であり、上記一対の側部１２，１３間に配されて、上下方向（図１，２及び４の上方向及び下方向、図３の紙面表及び裏方向）に移動することができる。・・・（中略）・・・また、図３にも示すように、かかる可動トレイ２は、一対の係合片２２，２３をその前部両端に有している。これら係合片２２，２３は、後述する第１及び第２のレバー４１，４２に係合させるための部分であり、可動トレイ２の前端であって第１及び第２のレバー４１，４２の端部に対応した個所を垂直に立ち上げることで形成した。
【００１８】
　放熱板３は、・・・（中略）・・・図２に示すように、平板ベース３０とその上に立設した複数のフィン３１とでなり、上記可動トレイ２の真上に位置するように、ハウジング１に固定されている。具体的には、図１に示すように、複数のタブ３２を一対の側部１２，１３の上端部に形成し、放熱板３を、一対の側部１２，１３上に架けた状態で、これらのタブ３２にネジ止めするなどして固定している。この結果、可動トレイ２と放熱板３との間の空間後部がＰＣカード１００の受入口をなし、ＰＣカード１００をこの受入口から挿入して、コネクタ部１０に接続することができる。
【００１９】
　カード排出機構４は、上記のように挿入したＰＣカード１００を排出するための機構である。
  具体的には、図３に示すように、カード排出機構４は、イジェクタロッド４０と第１のレバー４１と第２のレバー４２とで構成されている。
【００２０】
　イジェクタロッド４０は、ＰＣカード用コネクタの外部から操作することができるステンレス製の部材であり、押圧用の釦４０ａをその後端部には有している。このイジェクタロッド４０は、一対の側部１２，１３のうちの側部１３の外側に前後方向に移動可能に取り付けられている。すなわち、一対の保持片４０ｂ，４０ｂが側部１２のフランジ部に立設され、イジェクタロッド４０がこれら一対の保持片４０ｂ，４０ｂによって前後移動可能に保持されている。
【００２１】
　第１及び第２のレバー４１，４２は、かかるイジェクタロッド４０の操作によって回動する部材である。
　第１のレバー４１は、ステンレス製の長尺状板体であり、軸４１ａによって、ハウジング１の前部１１の上面に回動自在に軸支されている。そして、この第１のレバー４１の一方端部４１ｂは、イジェクタロッド４０の前端部に形成された連結孔４０ｃに係合され、イジェクタロッド４０の前後移動で回動するようになっている。また、第１のレバー４１の他方端部４１ｃには、垂下した舌片４１ｄが形成され（図１参照）、この舌片４１ｄが可動トレイ２の係合片２２に係合されている。これにより、可動トレイ２の前方移動によって、第１のレバー４１の他方端部４１ｃが前方に回動すると共に一方端部４１ｂが後方に回動して、イジェクタロッド４０を後方に移動させる。また、イジェクタロッド４０の押し戻しにより、第１のレバー４１の他方端部４１ｃが後方移動して、可動トレイ２を後方に押し戻すようになっている。」
（２）「【００２５】
　・・・（中略）・・・
　図７は、カムホロア部７を示す部分拡大図であり、図８は、可動トレイ２から突出したホロアとスライダのカムとの係合状態を示す断面図である。
　これらの図に示すように、カムホロア部７は、可動トレイ２の両側部に突設されたホロア７０と、一対の側部１２，１３に穿設された逆略Ｌ字状のガイド孔７１と、第１及び第２のスライダ７２，７３とを有している。
　各ガイド孔７１は、逆略Ｌ時の前部を形成する縦長部７１ａと、縦長部７１ａの下端部より後方に延出した横長部７１ｂとを有し、上記ホロア７０はかかるガイド孔７１に嵌められている。これにより、縦長部７１ａがホロア７０の上下動を許し、横長部７１ｂがホロア７０の上下動を阻止すると共に後方への移動を許すようになっている。」
（３）「【００２６】
　・・・（中略）・・・ＰＣカード１００を可動トレイ２に載せて挿入していくと、・・・（中略）・・・
　そして、ＰＣカード１００をさらに前進させていくと、図１３に示すように、ＰＣカード１００の前端が可動トレイ２の前部両端に起立する係合片２２，２３に当接する。
【００２７】
  このＰＣカード１００をコネクタ部１０に接続するには、ＰＣカード１００をさらに前進させる。
　・・・（中略）・・・
　図１３に示す状態から、右向き矢印で示すように、ＰＣカード１００をさらに前進させると、可動トレイ２の係合片２２，２３が第１及び第２のレバー４１，４２の舌片４１ｄ，４２ｄを押し、第１及び第２のレバー４１，４２の他方端部４１ｃ，端部４２ｂが前方に回動する。この動作と連動して、左向き矢印で示すように、第１のレバー４１の一方端部４１ｂが後方に回動して、イジェクタロッド４０が後方に移動する。そして、ＰＣカード１００を前方に完全に押し込むことで、図１４に示すように、ＰＣカード１００がコネクタ部１０と接続されると共に、イジェクタロッド４０が後方に押し出された状態になる。
　かかるＰＣカード１００の接続操作時においては、図１５に示すように、可動トレイ２の前方移動に伴って、第１のスライダ７２（第２のスライダ７３）のカム７６に係合したホロア７０が、第１のスライダ７２（第２のスライダ７３）を前方に押しながら、ガイド孔７１の横長部７１ｂ内を前方に移動する。そして、ホロア７０が縦長部７１ａに至ると、付勢部材６１の付勢力によって、縦長部７１ａの最上位まで移動する。
　・・・（中略）・・・
　これにより、ＰＣカード１００がコネクタ部１０と電気的に接続され・・・（中略）・・・る。
【００２８】
　かかる状態から、ＰＣカード１００を排出する場合には、後方に突出した釦４０ａを用いて、イジェクタロッド４０を前方に押し戻す。
　図１７は、ＰＣカード１００排出時におけるカード排出機構４の動作を示すＰＣカード用コネクタの平面図であり、図１８は、ＰＣカード１００排出時におけるカード圧接機構５の動作を示すＰＣカード用コネクタの側面図である。
　図１７の右向き矢印で示すように、イジェクタロッド４０を前方に押し込むと、イジェクタロッド４０と連結した第１のレバー４１の一方端部４１ｂが前方に回動し、他方端部４１ｃが後方に回動する。これと同時に、リンク部４３の作用によって、第２のレバー４２の端部４２ｂが後方に回動する。
　すると、左向き矢印で示すように、第１及び第２のレバー４１，４２の舌片４１ｄ，４２ｄが可動トレイ２の係合片２２，２３を後方に押し、可動トレイ２全体を後方に移動させようとする。
　・・・（中略）・・・
　すなわち、イジェクタロッド４０の前方への押し戻し操作により、ＰＣカード１００が、後方に押し戻されると共に放熱板３から離れるように下方移動して、最下位で停止するので、図１７に示すように、ＰＣカード１００は、放熱板３に擦れることなく、ＰＣカード用コネクタの後方に排出されることとなる。」
　
　上記記載事項（１）〜（３）、及び図１〜１８を総合すると、引用刊行物２には、次の発明（以下「引用発明２」という。）が記載されていると認められる。
「端子受入口１０ａが設けられＰＣカード１００と電気的に接続されるコネクタ部１０と、
　前部１１にコネクタ部１０が取り付けられているハウジング１、その前部１１にコネクタ部１０の両側から後方に延出するように取り付けられた一対の側部１２，１３、及び、可動トレイ２の真上に位置するように一対の側部１２，１３上に架けた状態で固定され、可動トレイ２と放熱板３との間の空間後部がＰＣカード１００の受入口をなす平板ベース３０を有する放熱板３と、
　イジェクタロッド４０と第１のレバー４１と第２のレバー４２とで構成され、イジェクタロッド４０が側部１３の外側に前後方向に移動可能に取り付けられている、カード排出機構４及びＰＣカード１００を挿入して載置する一対の側部１２，１３間に配される可動トレイ２と、
　を含み、
　可動トレイ２の両側部に突設されたホロア７０が一対の側部１２，１３に穿設された逆略Ｌ字状のガイド孔７１に嵌められ、ガイド孔７１の横長部７１ｂがホロア７０の上下動を阻止すると共に後方への移動を許すようになっており、ＰＣカード１００を可動トレイ２に載せて前進させると、ＰＣカード１００の前端が可動トレイ２の前部両端に起立する係合片２２，２３に当接し、さらに前進させて、ハウジング１の前部に取り付けられたコネクタ部１０にＰＣカード１００が接続されるＰＣカード用コネクタにおいて、
　カード排出機構４及び可動トレイ２は、
　ＰＣカード１００を載せて前進及び後方に移動させられる可動トレイ２であって、ＰＣカード１００の前端に当接し、且つＰＣカード１００を排出する場合、可動トレイ２全体とともに後方に移動させられる、可動トレイ２の前部両端に起立する係合片２２，２３を有している可動トレイ２と、
　可動トレイ２の係合片２２と係合される他方端部４１ｃの舌片４１ｄ及びイジェクタロッド４０の前端部に形成された連結孔４０ｃに係合される一方端部４１ｂを有し、軸４１ａでハウジング１に回動自在に軸支されている第１のレバー４１と、
　イジェクタロッド４０とを含み、
　イジェクタロッド４０の後端部の押圧用の釦４０ａを用いて、イジェクタロッド４０を前方に押し込むと、イジェクタロッド４０と連結した第１のレバー４１の一方端部４１ｂが前方に回動し、他方端部４１ｃが後方に回動し、第１のレバー４１の舌片４１ｄが可動トレイ２の係合片２２を後方に押し、可動トレイ２全体を後方に移動させて、ＰＣカード１００が、ＰＣカード用コネクタの後方に排出されるＰＣカード用コネクタ。」
　
２．対比・判断
　本願発明と引用発明２とを対比すると、後者の「コネクタ部１０」は、その構成・機能からみて、前者の「コネクタ本体」に相当し、以下同様に、後者の「前部１１にコネクタ部１０が取り付けられているハウジング１、その前部１１にコネクタ部１０の両側から後方に延出するように取り付けられた一対の側部１２，１３、及び、可動トレイ２の真上に位置するように一対の側部１２，１３上に架けた状態で固定され、可動トレイ２と放熱板３との間の空間後部がＰＣカード１００の受入口をなす平板ベース３０を有する放熱板３」は前者の「コネクタ本体に覆うフレーム」に、後者の「イジェクタロッド４０と第１のレバー４１と第２のレバー４２とで構成され、イジェクタロッド４０が側部１３の外側に前後方向に移動可能に取り付けられている、カード排出機構４及びＰＣカード１００を挿入して載置する一対の側部１２，１３間に配される可動トレイ２」は前者の「フレームの一側壁に取付けられるイジェクト機構」に、後者の「ＰＣカード用コネクタ」は前者の「カード用コネクタ」に、後者の「ＰＣカード１００を載せて前進及び後方に移動させられる可動トレイ２であって、ＰＣカード１００の前端に当接し、且つＰＣカード１００を排出する場合、可動トレイ２全体とともに後方に移動させられる、可動トレイ２の前部両端に起立する係合片２２，２３を有している可動トレイ２」は前者の「運動方向が前記カードの前記挿入／排出方向に平行な排出部材であって、挿入されたカードに当接し且つ前記挿入／排出方向において」「運動する排出部を有している排出部材」に、後者の「可動トレイ２の係合片２２と係合される他方端部４１ｃの舌片４１ｄ」「を有し、軸４１ａでハウジング１に回動自在に軸支されている第１のレバー４１」は前者の「排出部材と」「連接する枢支部材であって、枢支部を回転軸としてフレームに対して回動可能な前記枢支部材」に、後者の「イジェクタロッド４０」は前者の「押圧部材」に、後者の「イジェクタロッド４０の後端部の押圧用の釦４０ａを用いて、イジェクタロッド４０を前方に押し込むと、イジェクタロッド４０と連結した第１のレバー４１の一方端部４１ｂが前方に回動し、他方端部４１ｃが後方に回動し、第１のレバー４１の舌片４１ｄが可動トレイ２の係合片２２を後方に押し、可動トレイ２全体を後方に移動させて、ＰＣカード１００が、ＰＣカード用コネクタの後方に排出される」動作態様は前者の「押圧部材がカード用コネクタ内部に押し込まれた場合において、前記枢支部材が前記枢支部を中心として回動し、この回動に連動して、前記排出部材が、」「挿入／排出方向において直進し、前記カードを排出する」動作態様にそれぞれ相当する。
　また、後者のコネクタ部１０は「端子受入口１０ａが設けられＰＣカード１００と電気的に接続される」ものであるから、通常、端子受入口１０ａでＰＣカード１００の端子と電気的に接続される複数の端子が設けられているといえ、これらの端子は、前者の「コネクタ本体に装着される複数の導電端子」に相当する。
　さらに、後者の「ハウジング１、」「一対の側部１２，１３、及び、」「平板ベース３０を有する放熱板３」は、「可動トレイ２と放熱板３との間の空間後部がＰＣカード１００の受入口をな」し、可動トレイ２は「ＰＣカード１００を挿入して載置する一対の側部１２，１３間に配され」ており、さらにハウジング１は「前部１１にコネクタ部１０が取り付けられている」のであるから、前方をコネクタ部１０で、その他をハウジング１、一対の側部１２，１３、及び、平板ベース３０を有する放熱板３で、ＰＣカード１００を収容するための空間を形成し、そこに可動トレイ２でＰＣカード１００を挿入排出するようにしているといえるので、前者の「コネクタ本体と前記フレームとが、カードを収容するための収容空間を形成する」構造と同様の構造であるといえる。
　後者は「可動トレイ２の両側部に突設されたホロア７０が一対の側部１２，１３に穿設された逆略Ｌ字状のガイド孔７１に嵌められ、ガイド孔７１の横長部７１ｂがホロア７０の上下動を阻止すると共に後方への移動を許すようになっており、」可動トレイ２はイジェクタロッド４０を前方に押し込むと、可動トレイ２の係合片２２を後方に押し、可動トレイ２全体を後方に移動させるものであることから、当該ガイド孔７１の横長部７１ｂに沿って、ＰＣカード１００の前端に当接する係合片２２，２３を有する可動トレイ２が後方に移動する点で、ガイド孔７１の横長部７１ｂは、前者の「フレーム」が有している「カードの挿入／排出方向に延在するように形成されたスリット」に相当し、且つ後者の係合片２２，２３を有する可動トレイ２は、前者の「挿入／排出方向において前記スリットに沿って運動する排出部を有している前記排出部材」に相当し、後者も、前者の「前記排出部材が、前記フレームの前記スリットに沿って前記挿入／排出方向において直進し、前記カードを排出する」との作動をなすものといえる。
　なお、上記第２の３．（２）でも述べたように、カード用コネクタにおいて、排出部を有する排出部材をスリットに沿って前記挿入／排出方向において直進させることは、従来周知の事項でもある。
　
　そうすると、両者は、「コネクタ本体と、
　前記コネクタ本体に装着される複数の導電端子と、
　前記コネクタ本体に覆うフレームであって、カードの挿入／排出方向に延在するように形成されたスリットを有している前記フレームと、
　前記フレームの一側壁に取付けられるイジェクト機構と、
　を含み、
　前記コネクタ本体と前記フレームとが、カードを収容するための収容空間を形成するカード用コネクタにおいて、
　前記イジェクト機構は、
　運動方向が前記カードの前記挿入／排出方向に平行な排出部材であって、挿入されたカードに当接し且つ前記挿入／排出方向において前記スリットに沿って運動する排出部を有している前記排出部材と、
　前記排出部材と連接する枢支部材であって、枢支部を回転軸として前記フレームに対して回動可能な前記枢支部材と、
　押圧部材とを含み、
　前記押圧部材が前記カード用コネクタ内部に押し込まれた場合において、前記枢支部材が前記枢支部を中心として回動し、この回動に連動して、前記排出部材が、前記フレームの前記スリットに沿って前記挿入／排出方向において直進し、前記カードを排出するカード用コネクタ。」である点で一致し、以下の点で相違する。
　
相違点：本願発明が、連動部材を有し、枢支部材は「排出部材と前記連動部材とを連接」し、押圧部材は「連動部材に連接する」のに対して、引用発明２は連動部材を有しておらず、「イジェクタロッド４０の前端部に形成された連結孔４０ｃに」第１のレバー４１の一方端部４１ｂが係合されている点。
　
　上記相違点について検討する。
　カードの長さや汎用される部品に合わせて、押圧部材を延長するようにこれに連接する連動部材を設けることは、当業者が必要に応じて適宜なし得たことといわざるを得ず、したがって、上記相違点に係る本願発明の構成とすることは当業者が容易になし得たことであって、そのことによる格別の効果もない。
　
　そして本願発明を全体としてみても、その効果が格別であるとはいえない。
　
４．むすび
　したがって、本願発明は、引用発明２に基づいて、当業者が容易に発明をすることができたものであるので、特許法第２９条第２項の規定により、特許を受けることができない。
　よって、結論のとおり審決する。